(57)【要約】      （修正有）【課題】構造が簡単で、安価に製造でき、取り付けも簡易で、確実にホースリールの転倒防止をすることのできるホースリール固定装置及び同装置の付いたホースリールを提供する。【解決手段】ホースリール７の底部に設置してホースリールを支える固定台６と、ホースリールに固定台を取り付けるための取付部とからなり、取付部はＬ型ボルト２とナットからなる。【選択図】図３
0003210680.tif 000002
【実用新案登録請求の範囲】
【請求項１】
ホースリールの底部に設置してホースリールを支える固定台と、ホールリールに固定台を取り付けるための取付部とからなることを特徴とするホースリール固定装置
【請求項２】
取付部がＬ型のボルトとナットからなることを特徴とする請求項１記載のホースリール固定装置
【請求項３】
ホースリールに固定台を取り付ける際に手を挿入するための穴が固定台にあいていることを特徴とする請求項１又は請求項２のいずれか記載のホースリール固定装置
【請求項４】
固定台がコンクリート、合成樹脂、金属のいずれかからなることを特徴とする請求項１から請求項３のいずれか記載のホースリール固定装置
【請求項５】
固定台が少なくとも５Ｋｇ以上あることを特徴とする請求項１から請求項４のいずれか記載のホースリール固定装置
【請求項６】
請求項１から請求項５のいずれか記載のホースリール固定装置を備えたことを特徴とするホースリール
【考案の詳細な説明】
【技術分野】
【０００１】
本発明は、ホースリールに巻かれたホースを引き出して水をまく時、当該ホースリールが転倒することを防止するための装置、及び同装置の付いたホースリールに関する。
【背景技術】
【０００２】
ホースをドラムに巻いて収納するホースリールは、軽量で便利に利用できるので、家庭や仕事場で頻繁に使用されているが、ホースをホースリースから引き出す時、ホースを長く引き出せば引き出す程、ホースリールがバランスを崩して転倒することがよくある。市販されているホースリールにはこの転倒防止装置が付いていない。
【０００３】
特許文献の中には、ホースリールの転倒防止装置に関する発明はある。例えば、実用新案登録第２５７０８３６号、特開２０００−１５３９６６号、特開２００２−３０２３４５号、実用新案登録第３１１４４３１号の発明である。
【０００４】
しかし、実用新案登録第２５７０８３６号の考案は、ベース上に水平に旋回自在に装着した旋回台に、ホースを巻いたリールを回転可能に備えてなるリール枠を保持するリール枠保持部を設けてなり、上記リール枠保持部は、前記旋回台の一側部に前記リール枠の一部分を横方向から受け入れるべく横方向に開口した開口部を設け、前記旋回台の他側部に前記リール枠の他部分を上方向から受け入れるべく上側に開放した溝を備えた構成であって、上記溝に、前記リール枠を前記旋回台に固定するための固定具を設けてなることを特徴とするホースリール枠ホルダである。従って、本考案は、リール枠のあるホースリースにしか使用できない問題がある。
【０００５】
特開２０００−１５３９６６号の発明は、ホースリール固定フレームにホースリール固定具でホースリールを固定し、ホースリール固定フレームに接続可能な架台を設けたホースリール固定装置である。しかし、本発明では、ホースリールを固定したホースリール固定装置のバランスが悪く、ホースリールが転倒する可能性を否定できない問題がある。それを防ぐため、ホースリール固定フレームを直接地面に埋め込み、セメント等で固定することも想定されているが、それではホースリールの移動ができなくなる問題がある。
【０００６】
特開２００２−３０２３４５号の発明は、土地の定着物に固定される固定器具と、ホースリールに取り付けられる本体器具とで形成され、上記の固定器具は、本体器具の端部を連結させるための連結部を備え、上記の本体器具は、ホースリールの対向する位置に取り付けられる一対の取付部を備え、この取付部が互いに接離方向にスライドして間隔が調節自在に形成されていることを特徴とするホースリールの固定装置である。従って、本発明は、固定器具が必須となり、固定器具を建物の壁等（土地の定着物）に固定するため、ホールリールの移動ができなくなる問題がある。
【０００７】
実用新案登録第３１１４４３１号の考案は、ホースリールの固定フレームにおいて、ホースリールを取り付ける基台の水平角度が調節でき、ホースリールのリール芯とホースリールを取り付ける基台の支軸の位置はオフセットされたことを特徴とするホースリール固定装置を基本発明としつつ、ホースリールの転倒防止のために支台ベース又は支柱ベース杭の支柱軸受パイプに支柱を軸着することを特徴とするホースリール固定装置である。本考案は、ホースリールを回転可能にすることに重点が置かれているため、装置がやや複雑になっているだけでなく、本考案では、ホースリールとホースリール固定装置全体のバランスが悪く、ホースリールが転倒する可能性を否定できない問題がある。
【先行技術文献】
【特許文献】
【０００８】
【特許文献１】実用新案登録第２５７０８３６号
【特許文献２】特開２０００−１５３９６６号
【特許文献３】特開２００２−３０２３４５号
【特許文献４】実用新案登録第３１１４４３１号
【考案の概要】
【考案が解決しようとする課題】
【０００９】
そこで本考案は、確実にホースリールの転倒防止をすることができる装置の提供を課題とした。また、どのようなホースリールにも取り付けができ、構造や取り付けが簡易で、安価な装置の提供を課題とした。
【課題を解決するための手段】
【００１０】
前記課題を解決するため、以下のような手段を考案した。すなわち、第１の手段は、ホースリールの底部に設置してホースリールを支える固定台と、ホールリールに固定台を取り付けるための取付部とからなることを特徴とするホースリール固定装置である。
【００１１】
第２の手段は、取付部がＬ字型のボルトとナットからなることを特徴とする第１の手段記載のホースリール固定装置である。    
【００１２】
第３の手段は、ホースリールに固定台を取り付ける際に手を挿入するための穴が固定台にあいていることを特徴とする第１の手段又は第２の手段のいずれか記載のホースリール固定装置である。
【００１３】
第４の手段は、固定台がコンクリート、合成樹脂、金属のいずれかからなることを特徴とする第１の手段から第３の手段のいずれか記載のホースリール固定装置である。
【００１４】
第５の手段は、固定台が少なくとも５Ｋｇ以上あることを特徴とする第１の手段から第４の手段のいずれか記載のホースリール固定装置である。
【００１５】
第６の手段は、第１の手段から第５の手段のいずれか記載のホースリール固定装置を備えたことを特徴とするホースリールである。
【００１６】
ホースリールの底部に設置してホースリールを支える固定台と、ホースリールに固定台を取り付けるための取付部とからなることを特徴とするホースリール固定装置により、ホースリールの重心が下がり、ホースリールの転倒を防止することができる。重心を下げるため、固定台はコンクリート、合成樹脂、金属のいずれかからなることが望ましい。また、同じ理由から、固定台が５Ｋｇ以上あることが望ましい。さらに、ホースリール全体を覆うカバーの付いたホースリール（図６、以下「フルカバー付きホースリール」という。）に固定台を取り付ける場合には、取り付け作業を容易にするため、ホースリールに固定台を取り付ける際に手を挿入するための貫通穴が固定台に開いていることが望ましい。
【考案の効果】
【００１７】
本願考案により、確実にホースリールの転倒防止をすることができる装置を提供することができる。また、ホースリール固定装置の構造も簡易となり、安価で製造でき、取り付けも簡易になる。さらに、どのようなホースリールにも取り付けが可能となる。
【図面の簡単な説明】
【００１８】
【図１】本願考案に係るホースリール固定装置の斜視図
【図２】本願考案に係るホースリール固定装置の底面斜視図
【図３】本願考案に係るホースリール固定装置を取り付けたホースリールの斜視図（正面側からの斜視図）
【図４】本願考案に係るホースリール固定装置を取り付けたホースリールの斜視図（背面側からの斜視図）
【図５】本願考案に係るホースリール固定装置を取り付けたホースリールの断面図
【図６】本願考案に係るホースリール固定装置を取り付けたフルカバー付きホースリールの斜視図（正面側からの斜視図）
【図７】本願考案に係るホースリール固定装置を取り付けたフルカバー付きホースリールの断面図
【図８】フルカバー付きホースリールの底面図
【考案を実施するための形態】
【００１９】
以下では、図面に基づき本件考案に係るホースリール固定装置及び同装置の付いたホースリールについて、実施の形態を説明する。
【００２０】
図１は本願考案に係るホースリール固定装置の斜視図（上面からみた斜視図）であり、図２は本願考案に係るホースリール固定装置の底面斜視図である。図１、図２の実施例に係るホースリール固定装置の固定台６は、略直方体の板状をしているが、形状はそれに限定されない。固定台６をホースリール７に取り付けることによりホースリール７全体の重心を下げ、ホースリール７の転倒を防止することができる。Ｌ型ボルト２とナット３は取付部に相当する。凹み４（この凹みには底部がある。）は、ナット３でＬ型ボルト２を締めやすくすると共に、ホースリール固定装置１を地面等に設置する時にＬ型ボルト２やナット３が障害とならないために、凹み４を設けたものである。実施例では固定台６の中央に穴５（この穴は上下に貫通し、底部がない。）が開いているが、この穴５は、フルカバー付きホースリール（図６記載のホースリール）にホースリール固定装置１を取り付ける際に穴５から手を挿入し、Ｌ型ボルト２を被取付部８に接着させる（接して置く、又は、取り付ける、という意味。以下同じ。）ことを容易にするための穴である。フルカバー付きホースリールでないホースリール（図３、図４記載のホースリール）に本願考案に係るホースリール固定装置１を取り付ける場合には、穴５がなくとも容易にＬ型ボルト２を被取付部８に接着させることができるので、穴５のないホースリール固定装置１でもよい。
【００２１】
固定台６は、コンクリート、合成樹脂、金属のいずれかからなるものが最良であるが、固定台６の原材料はそれらに限られるものではない。ホースリール固定装置１をホースリール７に固定したときに、ホースリール７全体の重心が下がり、ホースリール７の転倒を防止できる程度の質量をもったものであれば、原材料は限定されない。ホースリール固定装置１全体の質量についても、５Ｋｇ以上あることが最良であるが、ホースリールの転倒防止が可能であれば、５Ｋｇを下回ってもよい。
【００２２】
図３と図４は、ホースリール固定装置１をホースリール７に取り付けた状態の図である。図３は、本願考案に係るホースリール固定装置１を取り付けたホースリール７の正面側からの斜視図であり、図４は、本願考案に係るホースリール固定装置１を取り付けたホースリール７の背面側からの斜視図である。図３と図４のホースリール７は、カバーの付いていないホールリールである。ホースリール固定装置１の固定台６には穴５があいているが、カバーの付いていないホースリールの場合、この穴５は必須でない。
【００２３】
ホースリール下部の前後（正面側と背面側）には被取付部８がある。本願考案に係るホースリール固定装置１は、被取付部８にホースリール固定装置１の取付部を取り付けることによりホースリール７と同固定装置１を一体化させる。具体手には、４個（前方２個、後方２個）のＬ型ボルト２を被取付部８に接着させ、固定台６の低部にあるナット３を締め、Ｌ型ボルトを被取付部８に固定させ、それによりホースリール７と本願考案に係るホースリール固定装置１が離れないように一体化させる。
【００２４】
図５は、本願考案に係るホースリール固定装置１を取り付けたホースリール７の断面図である。ここにホースは描かれていない。Ｌ型ボルト２がホースリール７の被取付部８に接着し、固定台６の低部にあるナット３を締め、Ｌ型ボルト２が被取付部８に固定されている。これによりホースリール７と本願考案に係るホースリール固定装置１が離れないように固定化、一体化されている。
【００２５】
図６は、本願考案に係るホースリール固定装置１を取り付けたフルカバー付きホースリールの正面側からの斜視図である。図８は、フルカバー付きホースリールの底面図である。フルカバー付きホースリールの底面にも被取付部８が前後（正面側、背面側）にそれぞれある。フルカバー付きホースリールに本願考案に係るホースリール固定装置１を取り付ける方法は、図３から図５に基づき説明したカバーのないホースリール７にホースリール固定装置１を取り付ける方法と同じである。
【００２６】
図７は、本願考案に係るホースリール固定装置１を取り付けたフルカバー付きホースリール７の断面図である。図５と同様、Ｌ型ボルト２をホースリール７の被取付部８に接着させ、固定台６の低部にあるナット３を締め、Ｌ型ボルト２が被取付部８に固定している。これによりホースリール７と本願考案に係るホースリール固定装置１が離れないように固定化、一体化されている。
【００２７】
ホースリール固定装置１の中央に貫通穴５が開いているが、これは、フルカバー付きホースリール７にホースリール固定装置１を取り付ける際に手を挿入するための穴である。穴５から手を入れ、Ｌ型ボルト２をホースリール７の被取付部８に接着させ、固定台６の低部にあるナット３を締め、Ｌ型ボルト２を被取付部８に固定する。
【００２８】
以上、実施の形態について述べたが、本願考案は上記実施例に限定されるものではない。実施例（図１、図２）では、取付部に相当するＬ型ボルト２、ナット３の数は４個ずつであるが、数に限定はない。取付部の位置も、図１、図２に示された位置に限定されない。既製品のホースリール７の被取付部８の位置や形状に応じてその位置や数を調整することができる。取付部自体も、実施例（図１、図２）ではＬ型ボルト２とナット３により構成されているが、それに限られない。ホースリール７と本願考案に係るホースリール固定装置１が離れないように固定化、一体化できるならば、既製品のホースリール７の被取付部８の位置や形状に応じて、ボルトとナットがどのような形状をしていてもよいし、ボルトとナット以外のものを使用してもよい。凹み４のないホースリール固定装置も考えられる。固定台６の形状や厚さにも限定はない。固定台の重さが５Ｋｇを下回ったとしても、転倒防止可能な重さであれば問題ない。転倒防止可能な最低限の重さは、ホースリール自体の形状、大きさ、重さ等にも関係するので、一概にはいい得ない。
【００２９】
以上は、既製品のホースリール７に本願考案に係るホースリール固定装置１を設置する場合の説明であるが、そもそもホースリール７を製造する段階で、ホースリール７と本願考案に係るホースリール固定装置１を一体の製品として製造することも可能である。その場合、ホースリール固定装置１の取付部はより簡易な形状のものとすることが可能となる。
【符号の説明】
【００３０】
１  ホースリール固定装置
２  Ｌ型ボルト
３  ナット
４  凹み
５  穴
６  固定台
７  ホースリール
８  被取付部
９  ホース
１０  ホースリール全体を覆うカバー
【図１】
0003210680.tif 000003
【図２】
0003210680.tif 000004
【図３】
0003210680.tif 000005
【図４】
0003210680.tif 000006
【図５】
0003210680.tif 000007
【図６】
0003210680.tif 000008
【図７】
0003210680.tif 000009
【図８】
0003210680.tif 000010